(57)【要約】【課題】マンコンベアの両端で移動手すりを伸縮させることにより、マンコンベアの全長の長さに影響されることなく移動手すりを加減速することができるマンコンベアの移動手すり装置を得る。【解決手段】無端状に連結された複数の移動手すりユニットを備え、この各移動手すりユニットは、伸縮部と、この伸縮部を収容する収納部とを有し、前記伸縮部が収納部に対して出没自在に移動することにより移動方向に対し伸縮自在に構成した。【選択図】      図１５
2004331354.tif 000002
【特許請求の範囲】
【請求項１】
マンコンベアの踏板に乗った乗客が手で掴んだ状態で踏板と同期して移動するマンコンベアの移動手すり装置において、無端状に連結された複数の移動手すりユニットを備え、この各移動手すりユニットは、伸縮部と、この伸縮部を収容する収納部とを有し、前記伸縮部が収納部に対して出没自在に移動することにより移動方向に対し伸縮自在に構成されていることを特徴とするマンコンベアの移動手すり装置。
【請求項２】
移動手すりユニットは、マンコンベアの左右両端部から中間部に移動するに従いその長さが任意の速度で伸び、中間部で伸長状態を維持したまま移動し、左右両端部に近づくに従いその長さが任意の速度で収縮することを特徴とするマンコンベアの移動手すり装置。
【請求項３】
移動手すりユニットは、マンコンベアの踏板がマンコンベア本体から出現した後加速し、中間部では前記踏板が高速走行し、マンコンベア本体に収納される手前から踏板が減速するマンコンベアの踏板の運転状況に同期して伸縮自在にされていることを特徴とする請求項１又は請求項２記載のマンコンベアの移動手すり装置。
【請求項４】
収納部には、複数の伸縮部駆動歯車と、この伸縮部駆動歯車用支持ローラとを設け、伸縮部には、前記伸縮駆動歯車と対向する複数の歯面を設け、前記伸縮部駆動歯車及び伸縮部駆動歯車用支持ローラの下部には、伸縮部駆動歯車駆動用歯面と、伸縮部駆動歯車用支持ローラの転送面を有する複数の支持レールを設けたことを特徴とする請求項１〜請求項３のいずれか記載のマンコンベアの移動手すり装置。
【請求項５】
複数の支持レールは、垂直方向の高さ位置をずらせて設置したことを特徴とする請求項４記載のマンコンベアの移動手すり装置。
【発明の詳細な説明】
【０００１】
【発明の属する技術分野】
この発明はマンコンベアの移動手すり装置に関するものである。
【０００２】
【従来の技術】
踏板の移動速度を加減速させることができるマンコンベアにおいては、乗客が手で掴む移動手すりもスムースに変速できることが望まれる。従来のこの種移動手すり装置としては、リードピッチが除々に変化する円筒カムスクリューと、手すりに取り付けた駆動台車と、駆動台車の下部に取り付けた台車送り棒と、方向制御用案内車輪の案内ガイドと、姿勢制御用車輪の案内ガイドと、台車送り棒を円筒カムスクリューに押しつける押えガイドとを設け、円筒カムスクリューを一定速度で回転させると、駆動台車の下部に取り付けた台車送り棒を円筒カムスクリューのリードピッチに従い左右の移動速度が変化し、駆動台車はリードピッチに従い任意の移動速度が得られるというものがある（例えば、特許文献１参照）。
【０００３】
【特許文献１】
特開平７−２３７８７４号公報
【０００４】
【発明が解決しようとする課題】
上記従来のマンコンベアの移動手すり装置は、円筒カムスクリューをマンコンベアの全長の長さに合わせて作成する必要があるという問題点があった。
【０００５】
この発明は、上述のような課題を解決するためになされたもので、その目的は、マンコンベアの両端で移動手すりを伸縮させることにより、マンコンベアの全長の長さに影響されることなく移動手すりを加減速することができるマンコンベアの移動手すり装置を提供するものである。
【０００６】
【課題を解決するための手段】
この発明に係るマンコンベアの移動手すり装置は、無端状に連結された複数の移動手すりユニットを備え、この各移動手すりユニットは、伸縮部と、この伸縮部を収容する収納部とを有し、前記伸縮部が収納部に対して出没自在に移動することにより移動方向に対し伸縮自在に構成したものである。
【０００７】
【発明の実施の形態】
実施の形態１．
図１はこの発明の実施の形態１におけるマンコンベアの移動手すり装置を示す全体概略図、図２はこの発明の実施の形態１における移動手すりユニットを示す概略図である。図１、図２において、マンコンベアの移動手すりユニット１は、無端状に連結されて従来の移動手すりと同様に機能するものであり、踏板に乗った乗客は移動手すりユニット１の上部の露出した部分を掴むことになる。無端状に連結された移動手すりユニット１はマンコンベアの一端部からマンコンベア内部を逆方向に移動し再度マンコンベアの他端部から外部に出現する。移動手すりユニット１は露出上部を除き、下部はマンコンベア内に収まり、露出部分とは逆方向へ移動する。そして、移動手すりユニット１はマンコンベアの上部露出部分で移動方向に伸縮するものであり、マンコンベアの両端で伸縮動作を開始して、中央部では伸長状態を維持したまま移動するものである。
【０００８】
図３は移動手すりユニットを正面から見た模式的な断面図、図４は同じく背面から見た模式的な断面図、図５は同じく平面から見た模式的な断面図、図６は移動手すりユニットを構成する伸縮部の正面図、図７は同じく伸縮部の底面図、図８は同じく伸縮部を右方向から見た側面図、図９は移動手すりユニット下部のマンコンベア本体上部に固定された第一支持レールの正面図、図１０は同じく第一支持レールの平面図、図１１は同じく第一支持レールを右方向から見た側面図、図１２は移動手すりユニット下部のマンコンベア本体上部に固定された第二支持レールの正面図、図１３は同じく第二支持レールの平面図、図１４は第一支持レール及び第二支持レールを右方向から見た側面図である。
図３〜図１４において、移動手すりユニット１は、伸縮部２と、この伸縮部を収容する収納部３とから構成されている。収納部３の正面下部先端寄りに固定した軸に軸受けを介して付けた伸縮部第一駆動歯車４が設けられている。この伸縮部第一駆動歯車４は任意に径を大きくし自由回転が可能な伸縮部第一駆動歯車用支持ローラ１１を合わせ持っている。マンコンベア本体上部には伸縮部第一駆動歯車４の下部に位置するように第一支持レール５が取り付けられている。この第一支持レール５の上面は、伸縮部第一駆動歯車４の支持ローラ部１１を支える転送面４２と、任意所定の位置に伸縮部第一駆動歯車４を回転させる伸縮部第一駆動歯車駆動用歯面４１を有している。収納部３の背面下部先端寄りに固定した軸に軸受けを介して取り付けた伸縮部第二駆動歯車７が設けられている。この伸縮部第二駆動歯車７は任意に径を大きくし自由回転が可能な伸縮部第二駆動歯車用支持ローラ１２を合わせ持っている。マンコンベア本体上部には伸縮部第二駆動歯車７の下部に位置するように第二支持レール６が取り付けられ、この第二支持レール６は、伸縮部第一駆動歯車４と後述する伸縮部第三駆動歯車８の垂直方向の高さを同一にするため第一支持レール５に対し任意の高さ分下げられている。この第二支持レール６の上面は、伸縮部第二駆動歯車７の支持ローラ部１２を支える転送面４６と、任意所定の位置に伸縮部第二駆動歯車７を回転させる伸縮部第二駆動歯車駆動用歯面４５を有している。収納部３の背面下部で伸縮部第二駆動歯車７に隣接するように、かつ伸縮部第一駆動歯車４と垂直方向で同一高さに固定された軸に軸受けを介して取り付けた伸縮部第三駆動歯車８が設けられている。この伸縮部第三駆動歯車８は伸縮部第二駆動歯車７の回転により逆回転するように取り付けられ伸縮部２を駆動する。
伸縮部２下面の正面側と背面側に伸縮部第一歯面２１と伸縮部第二歯面２２が左右方向に延在するように固定されている。この伸縮部第一歯面２１と伸縮部第二歯面２２はそれぞれ伸縮部第一駆動歯車４と伸縮部第三駆動歯車８が噛合って回転することにより、伸縮部２を収納部３に対し左右方向に移動させることができ、伸縮部２は突出位置と没入位置の間を移動できる出没自在な構成となっている。
【０００９】
図１５は移動手すりユニットの横断面図である。図１５において、マンコンベア本体上部には移動手すりを支持する支持部５５が設けられている（下部は省略してある）。収納部３の下部には、伸縮部第一駆動歯車４を軸受けを介して取り付けるための伸縮部第一駆動歯車軸５１と、伸縮部第二駆動歯車７を軸受けを介して取り付けるための伸縮部第二駆動歯車軸５２と、伸縮部第三駆動歯車８を軸受けを介して取り付けるための伸縮部第三駆動歯車軸５３が固定されている。
【００１０】
このように構成されたマンコンベアの移動手すり装置においては、無端状に連結された移動手すりユニット１が図１において時計方向に駆動されると、図１のマンコンベア本体内部の左端から外部に出現した移動手すりユニット１は、収納部３に固定された伸縮部第一駆動歯車軸５１及び伸縮部第二駆動歯車軸５２を介し、また伸縮部第一駆動歯車用支持ローラ１１及び伸縮部第二駆動歯車用支持ローラ１２の軸受けを介し、各々の伸縮部第一駆動歯車用支持ローラ１１及び伸縮部第二駆動歯車用支持ローラ１２により支えられている。そして、移動手すりユニット１は、移動手すり支持部５５に固定された伸縮部第一駆動歯車用支持ローラ１１の転送面４２及び伸縮部第二駆動歯車用支持ローラ１２の転送面４６上を時計方向、すなわち図１の右方向に移動する。右方向に移動した移動手すりユニット１が移動手すり支持部５５に固定された伸縮部第一駆動歯車駆動用歯面４１を通過する時、伸縮部第一駆動歯車４は時計方向に回転し伸縮部第一駆動歯車４が時計方向に回転することにより、伸縮部第一歯面２１を介して伸縮部２は収納部３に対し右方向に移動する。すなわち伸縮部２は収納部３より突出して移動手すりユニット１の左右方向（長手方向）の全長が長くなる。移動手すりユニット１の左右方向の全長が所定の長さになると、伸縮部第一駆動歯車駆動用歯面４１の歯部分がなくなるので、移動手すりユニット１の左右方向の全長の長さは一定の長さを保持して右方向に移動する。この間、伸縮部第二駆動歯車駆動用歯面４５には伸縮部第二駆動歯車７に作用する歯面はない。
右方向に移動した移動手すりユニット１が移動手すり支持部５５に固定された伸縮部第二駆動歯車駆動用歯面４５を通過する時、伸縮部第二駆動歯車７は時計方向に回転する。伸縮部第二駆動歯車７が時計方向に回転することにより、伸縮部第三駆動歯車８が反時計方向に回転し伸縮部第二歯面２２を介して伸縮部２は収納部３に対し左方向に移動する。すなわち伸縮部２は収納部３内に没入するように収容され移動手すりユニット１の左右方向（長手方向）の全長が短くなり、図１のマンコンベア本体内部の左端から外部に出現した時の長さとなってマンコンベア本体内部に入っていく。図４は移動手すりユニット１を背面から見た図であるので、伸縮部第二駆動歯車７は反時計方向に回転し伸縮部第三駆動歯車８は時計方向に回転する。
【００１１】
同様に無端状に連結された移動手すりユニット１が図１において反時計方向に駆動されると、図１のマンコンベア本体内部の右端から外部に出現した移動手すりユニット１は、収納部３に固定された伸縮部第一駆動歯車軸５１及び伸縮部第二駆動歯車軸５２を介し、また伸縮部第一駆動歯車用支持ローラ１１及び伸縮部第二駆動歯車用支持ローラ１２の軸受けを介し、各々の伸縮部第一駆動歯車用支持ローラ１１及び伸縮部第二駆動歯車用支持ローラ１２により支えられている。そして、移動手すりユニット１は、移動手すり支持部５５に固定された伸縮部第一駆動歯車用支持ローラ１１の転送面４２及び伸縮部第二駆動歯車用支持ローラ１２の転送面４６上を反時計方向、すなわち図１の左方向に移動する。この場合、先ず左方向に移動した移動手すりユニット１が移動手すり支持部５５に固定された伸縮部第二駆動歯車駆動用歯面４５を通過する時、伸縮部第二駆動歯車７は反時計方向に回転する。伸縮部第二駆動歯車７が反時計方向に回転することにより、伸縮部第三駆動歯車８が時計方向に回転し、伸縮部第二歯面２２を介して伸縮部２は収納部３に対し右方向に移動する。すなわち伸縮部２は収納部３より突出して移動手すりユニット１の左右方向（長手方向）の全長が長くなる。図４は移動手すりユニット１を背面から見た図であるので、伸縮部第二駆動歯車７は時計方向に回転し伸縮部第三駆動歯車８は反時計方向に回転する。
移動手すりユニット１の左右方向の全長が所定の長さになると、伸縮部第二駆動歯車駆動用歯面４５の歯部分がなくなるので、移動手すりユニット１の左右方向の全長の長さは一定の長さを保持して左方向に移動する。この間、伸縮部第一駆動歯車駆動用歯面４１には伸縮部第一駆動歯車４に作用する歯面はない。
右方向に移動した移動手すりユニット１が移動手すり支持部５５に固定された伸縮部第一駆動歯車駆動用歯面４１を通過する時、伸縮部第一駆動歯車４は反時計方向に回転する。伸縮部第一駆動歯車４が反時計方向に回転することにより、伸縮部第一歯面２１を介して伸縮部２は収納部３に対し右方向に移動する。すなわち伸縮部２は収納部３内に没入するように収容され移動手すりユニット１の左右方向（長手方向）の全長が短くなり、図１のマンコンベア本体内部の右端から外部に出現した時の長さとなってマンコンベア本体内部に入っていく。
【００１２】
なお、詳細は図示していないが、マンコンベア本体内部における移動手すりユニット１の伸縮部２の伸縮は、図３〜図５、及び図９〜図１５に示す第一支持レール５及び第二支持レール６相当の構造を用いても良いし、また伸縮部第一駆動歯車４及び伸縮部第二駆動歯車７の伸縮部第一駆動歯車駆動用歯面４１及び伸縮部第二駆動歯車駆動用歯面４５の歯が噛合い回転する時以外でも回転できる構造を採用しても良い。
【００１３】
【発明の効果】
この発明は以上説明したように、無端状に連結された複数の移動手すりユニットを備え、この各移動手すりユニットは、伸縮部と、この伸縮部を収容する収納部とを有し、前記伸縮部が収納部に対して出没自在に移動することにより移動方向に対し伸縮自在に構成したので、従来よりも簡単な構成でマンコンベアの全長の長さに影響されることなく移動手すりを加減速することができる。
【図面の簡単な説明】
【図１】この発明の実施の形態１におけるマンコンベアの移動手すり装置を示す全体概略図である。
【図２】この発明の実施の形態１における移動手すりユニットを示す概略図である。
【図３】この発明の実施の形態１における移動手すりユニットを正面から見た模式的な断面図である。
【図４】同じく背面から見た模式的な断面図である。
【図５】同じく平面から見た模式的な断面図である。
【図６】この発明の実施の形態１における移動手すりユニットを構成する伸縮部の正面図である。
【図７】同じく伸縮部の底面図である。
【図８】同じく伸縮部を右方向から見た側面図である。
【図９】移動手すりユニット下部のマンコンベア本体上部に固定された第一支持レールの正面図である。
【図１０】同じく第一支持レールの平面図である。
【図１１】同じく第一支持レールを右方向から見た側面図である。
【図１２】移動手すりユニット下部のマンコンベア本体上部に固定された第二支持レールの正面図である。
【図１３】同じく第二支持レールの平面図である。
【図１４】第一支持レール及び第二支持レールを右方向から見た側面図である。
【図１５】移動手すりユニットの横断面図である。
【符号の説明】
１  移動手すりユニット
２  伸縮部
３  収納部
４  伸縮部第一駆動歯車
５  第一支持レール
６  第二支持レール
７  伸縮部第二駆動歯車
８  伸縮部第三駆動歯車
１１  伸縮部第一駆動歯車用支持ローラ
１２  伸縮部第二駆動歯車用支持ローラ
２１  伸縮部第一歯面
２２  伸縮部第二歯面
４１  伸縮部第一駆動歯車駆動用歯面
４２  伸縮部第一駆動歯車用支持ローラ１１の転送面
４５  伸縮部第二駆動歯車駆動用歯面
４６  伸縮部第二駆動歯車用支持ローラ１２の転送面
５１  伸縮部第一駆動歯車軸
５２  伸縮部第二駆動歯車軸
５３  伸縮部第三駆動歯車軸
５５  移動手すり支持部
【図１】
2004331354.tif 000003
【図２】
2004331354.tif 000004
【図３】
2004331354.tif 000005
【図４】
2004331354.tif 000006
【図５】
2004331354.tif 000007
【図６】
2004331354.tif 000008
【図７】
2004331354.tif 000009
【図８】
2004331354.tif 000010
【図９】
2004331354.tif 000011
【図１０】
2004331354.tif 000012
【図１１】
2004331354.tif 000013
【図１２】
2004331354.tif 000014
【図１３】
2004331354.tif 000015
【図１４】
2004331354.tif 000016
【図１５】
2004331354.tif 000017